(57)【要約】【課題】人の興味を引くことができるコンテンツ出力を可能とする。【解決手段】デジタルサイネージ装置１によれば、制御部２３は、撮像部３１により取得された撮影画像に人検出処理を実行する。人検出処理により人が検出されると、制御部２３は、撮像部３１により取得された撮影画像に顔認識処理を実行し、認識された顔画像に基づいて、検出された人の反応が所定の条件に該当するか否かを判断する。所定の条件に該当すると判断した場合、制御部２３は、画像形成部２７により出力される表示コンテンツ２７１と異なる内容の音声コンテンツ３３１を音声出力部３３に出力させる。【選択図】図４
2017059916.tif 000002
【特許請求の範囲】
【請求項１】
コンテンツを出力する第１の出力手段と、
前記第１の出力手段とは異なる出力形式のコンテンツを出力する第２の出力手段と、
人を検出する人検出手段と、
前記人検出手段による検出結果に基づいて、前記第１の出力手段により出力されているコンテンツと異なる内容のコンテンツを前記第２の出力手段に出力させる制御手段と、
を備えるコンテンツ出力装置。
【請求項２】
前記第１の出力手段により出力されるコンテンツは、表示コンテンツであり、前記第２の出力手段により出力されるコンテンツは、音声コンテンツである請求項１に記載のコンテンツ出力装置。
【請求項３】
前記表示コンテンツと前記音声コンテンツは、互いに対応する内容を表すコンテンツであり、
前記制御手段は、前記人検出手段による検出結果に基づいて、前記第１の出力手段により出力されている表示コンテンツに対応する音声コンテンツの一部を変更して前記第２の出力手段に出力させる請求項２に記載のコンテンツ出力装置。
【請求項４】
前記制御手段は、前記人検出手段による検出結果に基づいて、前記第１の出力手段により出力されている表示コンテンツに対応する音声コンテンツの発話文に言い間違いを発生させた音声コンテンツを前記第２の出力手段に出力させる請求項３に記載のコンテンツ出力装置。
【請求項５】
前記制御手段は、前記人検出手段により人が検出された場合に、当該検出された人の反応を認識し、認識した反応が予め定められた条件に該当した場合に、前記第１の出力手段により出力されているコンテンツと異なる内容のコンテンツを前記第２の出力手段に出力させる請求項１〜４の何れか一項に記載のコンテンツ出力装置。
【請求項６】
第１の出力手段によりコンテンツを出力する工程と、
第２の出力手段により前記第１の出力手段とは異なる出力形式のコンテンツを出力する工程と、
人検出手段により人を検出する工程と、
前記人検出手段による検出結果に基づいて、前記第１の出力手段により出力されているコンテンツと異なる内容のコンテンツを前記第２の出力手段に出力させる工程と、
を含むコンテンツ出力方法。
【請求項７】
コンテンツを出力する第１の出力手段と、前記第１の出力手段とは異なる出力形式のコンテンツを出力する第２の出力手段と、人を検出する人検出手段と、を備えるコンテンツ出力装置に用いられるコンピュータを、
前記人検出手段による検出結果に基づいて、前記第１の出力手段により出力されているコンテンツと異なる内容のコンテンツを前記第２の出力手段に出力させる制御手段、
として機能させるためのプログラム。
【発明の詳細な説明】
【技術分野】
【０００１】
本発明は、コンテンツ出力装置、コンテンツ出力方法及びプログラムに関する。
【背景技術】
【０００２】
従来、コンテンツに登場する人物等の輪郭の形状に形成されたスクリーンにコンテンツを投影する映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかし、特許文献１に記載の機器等のコンテンツ出力装置では、予め定められたコンテンツを定期的に、もしくは繰り返し放映するだけである。そのため、人の興味を引くことが難しく、せっかくコンテンツ出力装置の前に人が来ても素通りされてしまったり、すぐに離れてしまったりする等の問題があった。
【０００５】
本発明の課題は、人の興味を引くことができるコンテンツ出力を可能とすることである。
【課題を解決するための手段】
【０００６】
上記課題を解決するため、請求項１に記載の発明のコンテンツ出力装置は、
コンテンツを出力する第１の出力手段と、
前記第１の出力手段とは異なる出力形式のコンテンツを出力する第２の出力手段と、
人を検出する人検出手段と、
前記人検出手段による検出結果に基づいて、前記第１の出力手段により出力されているコンテンツと異なる内容のコンテンツを前記第２の出力手段に出力させる制御手段と、
を備える。
【発明の効果】
【０００７】
本発明によれば、人の興味を引くことができるコンテンツ出力が可能となる。
【図面の簡単な説明】
【０００８】
【図１】本実施形態におけるデジタルサイネージ装置の機能的構成を示すブロック図である。
【図２】図１のスクリーン部の概略構成を示す図である。
【図３】（ａ）は、基本発話文データの一例を示す図、（ｂ）は、言い間違い変換テーブルの一例を示す図、（ｃ）は、文言定義テーブルの一例を示す図である。
【図４】図１の制御部により実行されるコンテンツ出力処理を示すフローチャートである。
【図５】（ａ）は、図４のステップＳ５で出力される通常コンテンツの一例を示す図、（ｂ）は、図４のステップＳ６で出力される言い間違いを発生させたコンテンツの一例を示す図である。
【図６】通常コンテンツ及び言い間違いを発生させたコンテンツの発話文の例を示す図である。
【発明を実施するための形態】
【０００９】
以下、添付図面を参照して本発明に係る好適な実施形態を詳細に説明する。以下の実施形態では、本発明に係るコンテンツ出力装置としてデジタルサイネージ装置１を適用した場合を例にとり説明する。なお、本発明は、図示例に限定されるものではない。
【００１０】
［デジタルサイネージ装置１の構成］
図１は、本実施形態におけるデジタルサイネージ装置１の主制御構成を示すブロック図である。図２は、スクリーン部２２の概略構成を示す正面図である。デジタルサイネージ装置１は、例えば、店舗等に設置され、商品を説明するコンテンツを出力する装置である。
【００１１】
図１に示すように、デジタルサイネージ装置１は、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、を備えている。プロジェクタ２４、記憶部２５、通信部２６は、図１に示すように制御部２３に接続されている。
【００１３】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、制御手段として機能する。また、制御部２３は、撮像部３１との協働により人検出手段として機能する。
【００１４】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、画像形成部２７と合せて第１の出力手段を構成する。
【００１５】
記憶部２５は、ＨＤＤ（Hard Disk Drive）や不揮発性の半導体メモリ等により構成される。記憶部２５には、図１に示すように、プログラム記憶部２５１、コンテンツ記憶部２５２が設けられている。
【００１６】
プログラム記憶部２５１には、制御部２３で実行されるシステムプログラムや各種処理プログラム、これらのプログラムの実行に必要なデータ等が記憶されている。
【００１７】
コンテンツ記憶部２５２には、コンテンツを出力するための情報が記憶されている。本実施形態において、コンテンツは、表示コンテンツ２７１と音声コンテンツ３３１の２つの異なる出力形式のコンテンツにより構成される。具体的に、コンテンツ記憶部２５２には、表示コンテンツ２７１を出力するための複数のフレーム画像により構成される動画データ、及び各フレーム画像に対応する音声コンテンツ３３１を出力するためのテキストデータを規定する情報（図３（ａ）に示す基本発話文データ２５２ａ、図３（ｂ）に示す言い間違い変換テーブル２５２ｂ、図３（ｃ）に示す文言定義テーブル２５２ｃ）が記憶されている。音声コンテンツ３３１は、表示コンテンツ２７１に含まれるキャラクターＣ（図５（ａ）、（ｂ）参照）の発話音声となるコンテンツである。
【００１８】
基本発話文データ２５２ａは、図３（ａ）に示すように、音声コンテンツ３３１の基本発話文のテキストデータを特定するための情報である。基本発話文データ２５２ａは、図３（ｂ）の言い間違い変換テーブル２５２ｂの番号０のレコードに示すように、文言定義テーブル２５２ｃで定義されている文言（#SENDEN_、#SHOUHIN_）を含む変更箇所Ａ、Ｂを含んで構成されている。
【００１９】
言い間違い変換テーブル２５２ｂは、言い間違いを発生させるための条件と、その条件に該当したときに変更する文言を対応付けて記憶したテーブルである。図３（ｂ）に示すように、言い間違い変換テーブル２５２ｂは「番号」、「条件」、「変更箇所Ａ」、「変更箇所Ｂ」の項目により構成されている。「条件」は、コンテンツ出力中に言い間違いを発生させる条件を定義した情報である。「変更箇所Ａ」、「変更箇所Ｂ」は、「条件」に該当した場合に基本発話文データ２５２ａの変更箇所Ａ、変更箇所Ｂをどのように変更するかを示す情報である。言い間違い変換テーブル２５２ｂの番号１〜４の条件に該当していない状態（番号０）では、基本発話文データ２５２ａに基づき音声出力用のテキストデータが生成される。番号１〜４の何れかの条件に該当した場合、言い間違い変換テーブル２５２ｂに基づいて基本発話文データ２５２ａの変更箇所Ａ、Ｂの文言が変更された音声出力用のテキストデータが生成される。なお、言い間違い変換テーブル２５２ｂにおいて、番号０は最も優先順位が低いが、番号１〜４においては、番号が小さいほど優先順位が高い。
【００２０】
文言定義テーブル２５２ｃは、基本発話文データ２５２ａ及び言い間違い変換テーブル２５２ｂで用いられている共通の文言を定義したテーブルである。
【００２１】
通信部２６は、モデム、ルータ、ネットワークカード等により構成され、外部機器との通信を行う。
【００２２】
次に、スクリーン部２２について説明する。
図２に示すようにスクリーン部２２には、画像形成部２７と、画像形成部２７を支持する台座２８とが備えられている。
【００２３】
画像形成部２７は、映像光の照射方向に対して略直交するように配置された、例えばアクリル板などの一枚の透光板２９に、フィルム状のフレネルレンズが積層された背面投影用のフィルムスクリーンが貼付されて構成されたスクリーンである。
【００２４】
台座２８には、撮像部３１と、ボタン式の操作部３２と、音声出力部３３とが設けられている。
撮像部３１は、画像形成部２７に対向する空間の画像を撮影して撮影画像を生成する。
撮像部３１は、図示は省略するが、光学系及び撮像素子を備えるカメラと、カメラを制御する撮像制御部とを備えている。カメラの光学系は、画像形成部２７の前にいる人物を撮影可能な方向に向けられている。また、その撮像素子は、例えば、ＣＣＤ（Charge Coupled Device）やＣＭＯＳ（Complementary Metal-oxide Semiconductor）等のイメージセンサであり、光学系を通過した光学像を２次元の画像信号に変換する。
【００２５】
音声出力部３３は、スピーカ等を備えて構成され、制御部２３からの制御に従って音声コンテンツ３３１を出力する。音声出力部３３は、第２の出力手段として機能する。
撮像部３１、操作部３２、音声出力部３３は、図１に示すように制御部２３に接続されている。
【００２６】
［デジタルサイネージ装置１の動作］
次に、デジタルサイネージ装置１の動作について説明する。
図４に、デジタルサイネージ装置１において実行されるコンテンツ出力処理のフローチャートを示す。コンテンツ出力処理は、制御部２３とプログラム記憶部２５１に記憶されているプログラムとの協働により実行される。
【００２７】
まず、制御部２３は、人検出処理を実行する（ステップＳ１）。ステップＳ１において、制御部２３は、例えば、撮像部３１に撮影を行わせ、得られた撮影画像に対し人検出処理を実行する。人検出処理としては、例えば、予め準備した背景のみの画像と撮影画像との差分を取ることで人物を検出する手法、パターン認識により人物形状を検出する手法等、公知の画像処理技術を用いることができる。
【００２８】
次いで、制御部２３は、人検出処理の結果、人が検出されたか否かを判断する（ステップＳ２）。人が検出されていないと判断した場合（ステップＳ２；ＮＯ）、制御部２３は、ステップＳ５に移行する。
【００２９】
一方、人が検出されたと判断した場合（ステップＳ２；ＹＥＳ）、制御部２３は、ステップＳ１で取得された撮影画像に顔認識処理を行う（ステップＳ３）。顔認識処理は、例えば、特開２００６−２０２０４９号公報に記載のように、公知の画像処理技術を用いることができる。
【００３０】
次いで、制御部２３は、顔認識処理によって認識された顔画像に基づいて、ステップＳ１で検出された人が予め定められた条件（所定の条件）に該当するか否かを判断する（ステップＳ４）。
ステップＳ４で使用される所定の条件とは、言い間違いを発生させるためのトリガーとなる条件であり、例えば、以下の（１）〜（４）に示す条件が挙げられる。
（１）デジタルサイネージ装置１の前に人がｍ秒（例えば、ｍ＝５）以上いる
（２）デジタルサイネージ装置１の前にいる人が笑顔ではない
（３）デジタルサイネージ装置１の前にいる人の性別識別率が低い
（４）デジタルサイネージ装置１の前をｎ人以上（例えば、ｎ＝１００）の人が通過した
ここで、（３）は、デジタルサイネージ装置１から離れている人が多いことを示す条件である。
なお、ステップＳ４で使用される所定の条件は、コンテンツに人の興味を引くような変化をもたせたほうが好ましいと判断されるような反応をデジタルサイネージ装置１の前にいる人が示していることが推定される条件であれば、特に限定されない。
【００３１】
例えば、制御部２３は、直前のｍ秒間で取得された撮影画像から認識された顔画像をメモリに記憶しておき、ステップＳ３で認識された顔画像とメモリに記憶されている顔画像と比較することにより、デジタルサイネージ装置１の前に同じ人がｍ秒以上いるか否かを判断する。
また、例えば、制御部２３は、ステップＳ３で認識された顔の目や口の形状等に基づいて、デジタルサイネージ装置１の前にいる人が笑顔であるか否かを判断する。
また、例えば、制御部２３は、ステップＳ３で認識された顔画像に性別識別処理を行い、ステップＳ１で検出された人数のうち、性別識別処理で性別が識別された人数の割合（性別識別率）を算出する。そして、算出された性別識別率と所定の閾値との比較に基づいて、デジタルサイネージ装置１の前にいる人の性別識別率が所定の閾値より低いか否かを判断する。
また、例えば、制御部２３は、前回の顔認識処理で認識された顔画像と今回の顔認識処理で認識された顔画像との比較に基づいてデジタルサイネージ装置１の前を通過した人数をカウントしてメモリ内のカウンタに加算し、加算後のカウンタの値に基づいて、デジタルサイネージ装置１の前を所定数以上（例えば、１００人以上）の人が通過したか否かを認識する。
【００３２】
ステップＳ４において、ステップＳ１において検出された人が予め定められた条件に該当しないと判断した場合（ステップＳ４；ＮＯ）、制御部２３は、通常コンテンツを出力し（ステップＳ５）、ステップＳ７に移行する。即ち、制御部２３は、コンテンツ記憶部２５２から表示コンテンツ２７１の画像データを読み出し、そのフレーム画像を順次プロジェクタ２４に出力してプロジェクタ２４により画像形成部２７に投影させる。また、コンテンツ記憶部２５２に記憶されている、フレーム画像に対応する基本発話文データ２５２ａ及び文言定義テーブル２５２ｃに基づいて基本発話文のテキストデータを生成し、生成したテキストデータに基づいて音声を合成し、音声出力部３３により基本発話文の音声コンテンツ３３１を出力させる。
【００３３】
図５（ａ）に、ステップＳ５で出力される通常コンテンツの一例を示す。本実施形態において、表示コンテンツ２７１は、キャラクターＣを含み、音声コンテンツ３３１は、キャラクターＣの発話音声となっている。通常コンテンツでは、表示コンテンツ２７１と音声コンテンツ３３１の内容が一致している。即ち、図５（ａ）に示すように、通常コンテンツの表示コンテンツ２７１は肉まんを宣伝する内容であり、通常コンテンツの音声コンテンツ３３１は、例えば、「こちらが当店おすすめの肉まんです」のように、肉まんを宣伝する内容の音声である。
【００３４】
一方、ステップＳ４において、ステップＳ１において検出された人が予め定められた条件に該当していると判断した場合（ステップＳ４；ＹＥＳ）、制御部２３は、該当した条件に応じて、言い間違いを発生させたコンテンツを出力し（ステップＳ６）、ステップＳ７に移行する。
ステップＳ６において、制御部２３は、コンテンツ記憶部２５２から表示コンテンツ２７１の画像データを読み出し、そのフレーム画像を順次プロジェクタ２４に出力してプロジェクタ２４により画像形成部２７に投影させる。また、コンテンツ記憶部２５２に記憶されている言い間違い変換テーブル２５２ｂに基づいて、出力されているフレーム画像に対応する基本発話文データ２５２ａの変更箇所Ａ、Ｂの文言を変更した音声出力用のテキストデータを生成する。そして、生成したテキストデータに基づいて音声を合成し、音声出力部３３により言い間違いを発生させた音声コンテンツ３３１を出力させる。
【００３５】
図５（ｂ）に、ステップＳ６で出力される言い間違いを発生させたコンテンツの一例を示す。図５（ｂ）は、上述の条件（１）、（２）に該当したときに出力されるコンテンツの例である。図５（ｂ）に示すように、上述の条件（１）、（２）に該当したときに出力されるコンテンツでは、表示コンテンツ２７１は通常コンテンツの内容と同じであるが、音声コンテンツ３３１が通常コンテンツの内容と異なる。即ち、表示コンテンツ２７１の内容と音声コンテンツ３３１の内容とが異なる。例えば、図５（ｂ）に示すように、肉まんの広告を表示した表示コンテンツ２７１に対し、音声コンテンツ３３１は「こちらが当店おすすめの餃子です・・・じゃなくて、肉まんです（汗）」のように、表示コンテンツ２７１とわざと異なる内容に言い間違えることで、人の興味を引くようになっている。
【００３６】
図６に、通常コンテンツの音声コンテンツ３３１（Ｎｏｒｍａｌ）の発話文及び上述の（１）〜（４）の条件のそれぞれに該当したときの音声コンテンツ３３１の発話文を示す。図６に示すように、条件（１）〜（４）に該当したときにステップＳ６で出力されるコンテンツの音声コンテンツ３３１は、表示コンテンツ２７１のキャラクターＣが言い間違いをしたり、セリフを度忘れしたり、視聴者に特別感を与えるセリフを発したりする等、より人間味の溢れたコンテンツとなっている。よって、出力されているコンテンツに対して人の興味を引くことが可能となる。
【００３７】
ステップＳ７において、制御部２３は、操作部３２により終了（電源ＯＦＦ）が指示されたか否かを判断する（ステップＳ７）。終了が指示されていないと判断した場合（ステップＳ７；ＮＯ）、制御部２３は、ステップＳ１に戻る。終了が指示されたと判断した場合（ステップＳ７；ＹＥＳ）、制御部２３は、コンテンツ出力処理を終了する。
【００３８】
以上説明したように、デジタルサイネージ装置１によれば、制御部２３は、撮像部３１により取得された撮影画像に人検出処理を実行する。人検出処理により人が検出されると、制御部２３は、撮像部３１により取得された撮影画像に顔認識処理を実行し、認識された顔画像に基づいて、検出された人の反応が所定の条件に該当するか否かを判断する。所定の条件に該当すると判断した場合、制御部２３は、画像形成部２７により出力される表示コンテンツ２７１と異なる内容の音声コンテンツ３３１を音声出力部３３に出力させる。具体的には、表示コンテンツ２７１に対応する音声コンテンツ３３１の発話文の一部を変えて言い間違いを発生させた音声コンテンツ３３１を音声出力部３３により出力させる。
従って、より人間味の溢れた、人の興味を引くことができるコンテンツの出力が可能となる。
【００３９】
なお、上記実施形態における記述内容は、本発明に係るデジタルサイネージ装置の好適な一例であり、これに限定されるものではない。
【００４０】
例えば、上記実施形態においては、人が検出された場合に、検出された人（検出された人の反応）が所定の条件に該当しているか否かを判断し、所定の条件に該当した場合に、言い間違いを発生させたコンテンツを出力させることとしたが、これに限定されない。例えば、人が検出された場合に、言い間違いを発生させたコンテンツを出力させることとしてもよい。これにより、人が検出された場合に、人の興味を引くことができるコンテンツを出力することが可能となる。
【００４１】
また、上記実施形態においては、デジタルサイネージ装置１単体でコンテンツの出力制御を行うこととしたが、この例に限定されない。
例えば、デジタルサイネージ装置１に通信ネットワークを介して接続される図示しないサーバ装置に表示コンテンツ２７１を出力するための動画データや各フレーム画像に対応する音声コンテンツ３３１のテキストデータを特定する情報を記憶しておくこととしてもよい。そして、撮像部３１により取得した撮影画像を通信部２６を介してサーバ装置に送信し、サーバ装置でステップＳ１〜ステップＳ４の処理を行い、ステップＳ４の判断結果に基づいて、サーバ装置で表示コンテンツ２７１の動画データの読み出し、及び、通常コンテンツ又は言い間違いを発生させたコンテンツの音声コンテンツ３３１のテキストデータの生成を行ってデジタルサイネージ装置１に送信し、デジタルサイネージ装置１においてはサーバ装置から受信したデータに基づいてリアルタイムでコンテンツの出力を行うこととしてもよい。
【００４２】
また、上記実施形態においては、表示コンテンツ２７１にキャラクターＣが含まれ、キャラクターＣの発話音声として音声コンテンツ３３１が出力される場合を例にとり説明したが、キャラクターＣの代わりに人物としてもよい。
【００４３】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を備えるコンテンツ再生装置に適用しても同様の効果を奏することができ、この例に限定されない。
【００４４】
その他、デジタルサイネージ装置を構成する各装置の細部構成及び細部動作に関しても、発明の趣旨を逸脱することのない範囲で適宜変更可能である。
【００４５】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
コンテンツを出力する第１の出力手段と、
前記第１の出力手段とは異なる出力形式のコンテンツを出力する第２の出力手段と、
人を検出する人検出手段と、
前記人検出手段による検出結果に基づいて、前記第１の出力手段により出力されているコンテンツと異なる内容のコンテンツを前記第２の出力手段に出力させる制御手段と、
を備えるコンテンツ出力装置。
＜請求項２＞
前記第１の出力手段により出力されるコンテンツは、表示コンテンツであり、前記第２の出力手段により出力されるコンテンツは、音声コンテンツである請求項１に記載のコンテンツ出力装置。
＜請求項３＞
前記表示コンテンツと前記音声コンテンツは、互いに対応する内容を表すコンテンツであり、
前記制御手段は、前記人検出手段による検出結果に基づいて、前記第１の出力手段により出力されている表示コンテンツに対応する音声コンテンツの一部を変更して前記第２の出力手段に出力させる請求項２に記載のコンテンツ出力装置。
＜請求項４＞  
前記制御手段は、前記人検出手段による検出結果に基づいて、前記第１の出力手段により出力されている表示コンテンツに対応する音声コンテンツの発話文に言い間違いを発生させた音声コンテンツを前記第２の出力手段に出力させる請求項３に記載のコンテンツ出力装置。
＜請求項５＞
前記制御手段は、前記人検出手段により人が検出された場合に、当該検出された人の反応を認識し、認識した反応が予め定められた条件に該当した場合に、前記第１の出力手段により出力されているコンテンツと異なる内容のコンテンツを前記第２の出力手段に出力させる請求項１〜４の何れか一項に記載のコンテンツ出力装置。
＜請求項６＞
第１の出力手段によりコンテンツを出力する工程と、
第２の出力手段により前記第１の出力手段とは異なる出力形式のコンテンツを出力する工程と、
人検出手段により人を検出する工程と、
前記人検出手段による検出結果に基づいて、前記第１の出力手段により出力されているコンテンツと異なる内容のコンテンツを前記第２の出力手段に出力させる工程と、
を含むコンテンツ出力方法。
＜請求項７＞
コンテンツを出力する第１の出力手段と、前記第１の出力手段とは異なる出力形式のコンテンツを出力する第２の出力手段と、人を検出する人検出手段と、を備えるコンテンツ出力装置に用いられるコンピュータを、
前記人検出手段による検出結果に基づいて、前記第１の出力手段により出力されているコンテンツと異なる内容のコンテンツを前記第２の出力手段に出力させる制御手段、
として機能させるためのプログラム。
【符号の説明】
【００４６】
１  デジタルサイネージ装置
２１  投影部
２２  スクリーン部
２３  制御部
２４  プロジェクタ
２５  記憶部
２５１  プログラム記憶部
２５２  コンテンツ記憶部
２６  通信部
２７  画像形成部
２７１  表示コンテンツ
２８  台座
２９  透光板
３１  撮像部
３２  操作部
３３  音声出力部
３３１  音声コンテンツ
【図１】
2017059916.tif 000003
【図２】
2017059916.tif 000004
【図３】
2017059916.tif 000005
【図４】
2017059916.tif 000006
【図５】
2017059916.tif 000007
【図６】
2017059916.tif 000008